(57)【要約】【課題】例えば、乗客コンベアを保守点検する際に、傾斜したオイルパンの上面に滑落物が落下しても、滑落物がオイルパンの上面に沿って滑落することを防止することで、作業者の作業の効率を向上させることができる乗客コンベアのオイルパン装置を得る。【解決手段】傾斜した主枠１の下部に設けられ、滴下したオイルを受ける傾斜した板形状のオイルパン２と、このオイルパン２の上面に設けられ、オイルパン２の上面に沿って流れるオイルが通過する貫通孔４ａが形成され、滑落物が滑落することを防止する止め金４とを備えている。【選択図】図２
2009208871.tif 000002
【特許請求の範囲】
【請求項１】
傾斜した主枠の下部に設けられ、滴下したオイルを受ける傾斜した板形状のオイルパンと、
前記オイルパンの上面側に設けられ、前記オイルパンの上面に沿って流れる前記オイルが通過し、滑落物が滑落することを防止する滑落防止手段とを備えたことを特徴とする乗客コンベアのオイルパン装置。
【請求項２】
前記滑落防止手段は、前記オイルパンに立設された、前記オイルが通過可能な貫通孔を有した止め金であることを特徴とする請求項１に記載の乗客コンベアのオイルパン装置。
【請求項３】
前記滑落防止手段は、前記オイルの流れる方向に沿って視たときに、前記オイルパンの上面から所定の隙間をあけて配置された板形状の止め金であることを特徴とする請求項１に記載の乗客コンベアのオイルパン装置。
【請求項４】
前記滑落防止手段は、前記オイルパンの上面に設けられた網であることを特徴とする請求項１に記載の乗客コンベアのオイルパン装置。
【請求項５】
前記滑落防止手段には、止め具を用いて、前記オイルパンの長手方向に沿って配置された電気配線が止められていることを特徴とする請求項１ないし請求項４の何れか１項に記載の乗客コンベアのオイルパン装置。
【発明の詳細な説明】
【技術分野】
【０００１】
この発明は、傾斜した主枠の下部に設けられ、滴下したオイルを受ける傾斜したオイルパンを備えた乗客コンベアのオイルパン装置に関する。
【背景技術】
【０００２】
従来、傾斜した主枠の底部に設けられ、滴下したオイルを受ける傾斜した板形状のオイルパンを備え、前記オイルが前記オイルパンの上面に沿って流れるエスカレータのオイルパン装置が知られている（例えば、特許文献１参照）。
【０００３】
【特許文献１】特開平６−３４０３９３号公報
【発明の開示】
【発明が解決しようとする課題】
【０００４】
しかしながら、このものの場合、例えば、エスカレータを保守点検する際に、傾斜したオイルパンの上面に工具等が落下すると、工具等がオイルパンの上面に沿って滑落してしまい、滑落した工具等を回収するための時間が必要になるので、作業者の作業の効率が低下するという問題点があった。
【０００５】
この発明は、上述のような問題点を解決することを課題とするものであって、その目的は、例えば、乗客コンベアを保守点検する際に、傾斜したオイルパンの上面に工具等が落下しても、工具等がオイルパンの上面に沿って滑落することを防止することで、作業者の作業の効率を向上させることができる乗客コンベアのオイルパン装置を提供するものである。
【課題を解決するための手段】
【０００６】
この発明に係る乗客コンベアのオイルパン装置は、傾斜した主枠の下部に設けられ、滴下したオイルを受ける傾斜した板形状のオイルパンと、前記オイルパンの上面側に設けられ、前記オイルパンの上面に沿って流れる前記オイルが通過し、滑落物が滑落することを防止する滑落防止手段とを備えている。
【発明の効果】
【０００７】
この発明に係る乗客コンベアのオイルパン装置によれば、例えば、乗客コンベアを保守点検する際に、傾斜したオイルパンの上面に滑落物が落下しても、オイルパンの上面に設けられた滑落防止手段により、滑落物がオイルパンの上面に沿って滑落することが防止されるので、作業者の作業の効率を向上させることができる。
【発明を実施するための最良の形態】
【０００８】
以下、この発明の各実施の形態を図に基づいて説明するが、各図において、同一または相当の部材、部位については、同一符号を付して説明する。
実施の形態１．
図１はこの実施の形態に係るエスカレータのオイルパン装置が取り付けられた主枠１を示す全体側面図、図２は図１のＩＩ−ＩＩ線に沿った矢視断面図、図３（ａ）は図２の止め金４を示す平面図、図３（ｂ）は図３（ａ）の止め金４を示す側面図である。
この実施の形態に係る乗客コンベアであるエスカレータのオイルパン装置は、傾斜した主枠１の下部に、長手方向の全域に渡って複数個設けられたオイルパン２と、このオイルパン２の横幅方向の両端部に設けられた、オイルパン２を主枠１に固定するオイルパン固定具３と、それぞれのオイルパン２の上面であって下流側端部に立設された、横幅方向に延びた滑落防止手段である断面Ｌ字形状の止め金４とを備えている。
なお、止め金４は、オイルパン２の下流側端部に限らず、オイルパン２の任意の位置に配置されてよい。
【０００９】
止め金４には、オイルパン２の上面に沿って流れるオイルが通過可能な貫通孔４ａが複数個形成されている。
止め金４の横幅方向の一端部とオイルパン固定具３との間には、オイルパン２の長手方向に沿って電気配線５が配置されている。
【００１０】
エスカレータが通常運転をしている場合には、滴下したオイルがオイルパン２の上面に沿って流れ、オイルパン２の上面の止め金４では、オイルが貫通孔４ａを通過して流れる。
一方、例えば、エスカレータを保守点検している場合には、作業者が滑落物である工具等を傾斜したオイルパン２の上面に落下させたときに、止め金４により、工具等がオイルパン２の上面に沿って滑落することが防止される。
これにより、作業者は、落下した工具等を回収する時間を短縮することができ、作業を続けて行うことができるので、作業者の作業の効率を向上させることができる。
また、落下した工具等はオイルパン２の上面に沿って滑落することが防止されるので、オイルパン２の下流側にいる作業者の作業が、滑落する工具等により妨害されることが防止され、作業者の作業の効率を向上させることができる。
【００１１】
以上説明したように、この実施の形態に係るエスカレータのオイルパン装置によれば、貫通孔４ａが形成された止め金４がオイルパン２の上面に設けられているので、エスカレータが通常運転をしている場合には、傾斜したオイルパン２の上面に沿って流れるオイルが貫通孔４ａを通過して流れることができ、例えば、エスカレータを保守点検している場合には、作業者が工具等をオイルパン２の上面に落下させたときに、工具等がオイルパン２の上面に沿って滑落することが防止され、作業者の作業の効率を向上させることができる。
【００１２】
実施の形態２．
図４はこの実施の形態に係るエスカレータのオイルパン装置を示す部分断面図である。
この実施の形態に係るエスカレータのオイルパン装置は、止め金４の電気配線５側の端部に形成された貫通孔４ａに止め具である電気配線固定線６が挿入されており、この電気配線固定線６を用いて、電気配線５が止め金４に止められている。
電気配線５が止め金４に止められているので、従来のエスカレータのオイルパン装置と異なり、電気配線５をオイルパン固定具３に止める必要がない。
その結果、オイルが、電気配線５からオイルパン固定具３に伝わってオイルパン装置の外側へ流れ出ることを抑制することができる。
その他の構成は実施の形態１と同様である。
【００１３】
以上説明したように、この実施の形態に係るエスカレータのオイルパン装置によれば、電気配線５が電気配線固定線６を用いて止め金４に止められているので、オイルパン固定具３に電気配線５が止められた従来のエスカレータのオイルパン装置と比べて、電気配線５からオイルパン固定具３を伝わってオイルパン装置の外側へオイルが流れ出ることを抑制することができる。
【００１４】
実施の形態３．
図５はこの実施の形態に係るエスカレータのオイルパン装置を示す断面図、図６は図５のオイルパン装置を示す部分平面図、図７は図５のＶＩＩ−ＶＩＩ線に沿った矢視断面図である。
この実施の形態に係るエスカレータのオイルパン装置は、オイルパン２の上面に沿って流れるオイルの流れる方向に沿って視たときに、板形状の止め金４がオイルパン２の上面から所定の隙間をあけて配置されている。
止め金４には、貫通孔４ａは形成されていない。
【００１５】
図８（ａ）は図５のオイルパン２を示す正面図、図８（ｂ）は図８（ａ）のオイルパン２を示す平面図である。
オイルパン２の上面であって下流側端面から所定の距離Ｄだけ離れた領域には、横幅方向に間隔をおいて５個のネジ７が上方を向いて、溶着により固定されている。
なお、ネジ７とオイルパン２との固定は、溶着に限らず、その他の方法であってもよい。
また、ネジ７は、オイルパン２の上面であって下流側端面から所定の距離Ｄだけ離れた領域に限らず、オイルパン２の上面のその他の領域に固定されてもよい。
【００１６】
それぞれのネジ７には、所定の高さの座金８が取り付けられ、この座金８の上に止め金４が取り付けられ、止め金４の上部からナット９が螺着されている。これにより、座金８および止め金４がオイルパン２に固定されている。
座金８の高さは、オイルパン２の上面と止め金４との隙間が、例えば、エスカレータを保守点検する際に用いられるスパナやドライバー等の厚みよりも狭くなるように決定されている。これにより、スパナやドライバー等をオイルパン２の上面に落下させても、スパナやドライバー等がオイルパン２の上面と止め金４との隙間を通過することを防止することができる。
なお、オイルパン２の上面と止め金４との隙間は、高さの異なる座金８に交換することで、簡単に調節することができる。
【００１７】
止め金４の横幅方向の両端部とオイルパン固定具３との間には、オイルパン２の長手方向に沿って電気配線５が配置されている。
止め金４の横幅方向の両端部に配置された座金８のそれぞれには、止め具であるケーブル固定針金１０が取り付けられており、このケーブル固定針金１０を用いて、それぞれの電気配線５が止め金４に止められている。
その他の構成は実施の形態１と同様である。
【００１８】
この実施の形態に係るエスカレータのオイルパン装置によれば、オイルの流れる方向に沿って視たときに、オイルパン２の上面から所定の隙間をあけて板形状の止め金４が配置されているので、止め金４に貫通孔４ａを形成しなくても、オイルパン２の上面に沿って流れるオイルが止め金４を通過して流れることができる。
その結果、止め金４に複数の貫通孔４ａを形成する必要がなく、止め金４を簡単に製造することができ、止め金４の製造時間および製造費の増加を低減することができる。
また、オイルパン２の上面と止め金４との間であって座金８を除いた領域に、オイルが通過して流れるので、簡単に、オイルが通過して流れる領域を大きくすることができ、止め金４によってオイルの流れに発生する抵抗を低減することができ、効果的にオイルを下方へ流すことができる。
【００１９】
図９はこの実施の形態に係るエスカレータのオイルパン装置の変形例を示す断面図である。
止め金４の横幅方向の一端部とオイルパン固定具３との間には、オイルパン２の長手方向に沿って電気配線５が配置されている。
止め金４の横幅方向の他端部は、オイルパン固定具３の近傍まで延びて形成されている。
これにより、止め金４の横幅方向の一端部とオイルパン固定具３との間は、電気配線５により隙間が埋められているので、工具等が通過して滑落することを抑制することができ、止め金４の横幅方向の他端部とオイルパン固定具３との間は、隙間が小さいので、工具等が通過して滑落することを抑制することができる。
【００２０】
図１０はこの実施の形態に係るエスカレータのオイルパン装置の他の変形例を示す断面図である。
止め金４の横幅方向の他端部とオイルパン固定具３との間には、オイルパン２の長手方向に沿って電気配線５が配置されている。
止め金４の横幅方向の一端部は、オイルパン固定具３の近傍まで延びて形成されている。
これにより、止め金４の横幅方向の一端部とオイルパン固定具３との間に、隙間が小さいので、工具等が通過して滑落することを抑制することができ、止め金４の横幅方向の他端部とオイルパン固定具３との間には、電気配線５により隙間が埋められているので、工具等が通過して滑落することを抑制することができる。
【００２１】
実施の形態４．
図１１はこの実施の形態に係るエスカレータのオイルパン装置を示す断面図、図１２は図１１のオイルパン装置を示す部分平面図、図１３は図１０のＸＩＩＩ−ＸＩＩＩ線に沿った矢視断面図である。
この実施の形態に係るエスカレータのオイルパン装置は、オイルパン２の上面に設けられた滑落防止手段である金網１１を備えている。
金網１１は、中間部が、折曲されてオイルパン２の上面から上方に向かって突出している。
なお、滑落防止手段は、金網１１に限らず、例えば、樹脂等の他の材料から構成された網であってもよい。
オイルパン２に固定されたネジ７には、オイルパン２とともに金網１１を挟むようにしてナット９が螺着されている。これにより、金網１１がオイルパン２に固定されている。
その他の構成は実施の形態３と同様である。
【００２２】
以上説明したように、この実施の形態に係るエスカレータのオイルパン装置によれば、オイルパン２の上面には上方に突出した金網１１が設けられているので、オイルパン２の上面に落下した工具等が金網１１に衝突した場合に、金網１１が弾性変形することにより、金網１１と工具等との衝突による衝撃が低減される。
その結果、金網１１に衝突した工具等が金網１１から跳ね返されることが抑制されるので、工具等が金網１１に跳ね返されてオイルパン２以外の機器等に衝突することを抑制することができる。
また、複数の貫通孔４ａが形成された板形状の止め金４と比べて、金網１１を簡単に製造することができ、金網１１の製造時間および製造費の増加を低減することができる。
また、金網１１は、複数の貫通孔４ａが形成された止め金４と比べて、オイルが通過して流れる領域が大きいので、効果的にオイルを下方へ流すことができる。
【００２３】
なお、上記各実施の形態では、乗客コンベアとしてエスカレータを例に説明したが、勿論このものに限らず、動く歩道であってもよい。
【図面の簡単な説明】
【００２４】
【図１】この発明の実施の形態１に係るエスカレータのオイルパン装置が取り付けられた主枠を示す全体側面図である。
【図２】図１のＩＩ−ＩＩ線に沿った矢視断面図である。
【図３】図３（ａ）は図２の止め金を示す平面図、図３（ｂ）は図３（ａ）止め金を示す側面図である。
【図４】この発明の実施の形態２に係るエスカレータのオイルパン装置を示す部分断面図である。
【図５】この発明の実施の形態３に係るエスカレータのオイルパン装置を示す断面図である。
【図６】図５のオイルパン装置を示す部分平面図である。
【図７】図５のＶＩＩ−ＶＩＩ線に沿った矢視断面図である。
【図８】図８（ａ）は図５のオイルパンを示す正面図、図８（ｂ）は図８（ａ）のオイルパンを示す平面図である。
【図９】この発明の実施の形態３にエスカレータのオイルパン装置の変形例を示す断面図である。
【図１０】この発明の実施の形態３に係るエスカレータのオイルパン装置の他の変形例を示す断面図である。
【図１１】この発明の実施の形態４に係るエスカレータのオイルパン装置を示す断面図である。
【図１２】図１１のオイルパン装置を示す部分平面図である。
【図１３】図１０のＸＩＩＩ−ＸＩＩＩ線に沿った矢視断面図である。
【符号の説明】
【００２５】
１  主枠、２  オイルパン、３  オイルパン固定具、４  止め金（滑落防止手段）、４ａ  貫通孔、５  電気配線、６  電気配線固定線（止め具）、７  ネジ、８  座金、９  ナット、１０  ケーブル固定針金（止め具）、１１  金網（滑落防止手段）。
【図１】
2009208871.tif 000003
【図２】
2009208871.tif 000004
【図３】
2009208871.tif 000005
【図４】
2009208871.tif 000006
【図５】
2009208871.tif 000007
【図６】
2009208871.tif 000008
【図７】
2009208871.tif 000009
【図８】
2009208871.tif 000010
【図９】
2009208871.tif 000011
【図１０】
2009208871.tif 000012
【図１１】
2009208871.tif 000013
【図１２】
2009208871.tif 000014
【図１３】
2009208871.tif 000015